(57)【要約】【課題】電話サーバのような専用のサーバ回線を設けることなく、既存のインタネット網を利用するようにして設備費を低減させる一方、電話回線利用料の負担をも軽減し得る通話方法および通話システムを得ること。【解決手段】通話元の通信装置１１と、通話先の通信装置１２と、これらの両通信装置１１，１２との間を通信接続する公衆回線網１３およびインタネット網１４とを具備し、通話先の通信装置１２は、電話機２０ｂと、通話相手の在席を認知する在席センサ２８と、通話中でないことを認知する通信端末２２ｂとを備え、通話元の通信装置１１は、電話機２２ａと、インタネット網１４を接続して通話先の通信端末２２ｂから通話相手の在席および通話中でないか否かの情報を受信することにより、通話相手が通話可能であることを認知する通信端末２２ａとを備え、通話元の通信端末２２ａには、上記通話相手が通話可能であると認知したことにより、インタネット網１４から公衆回線網１３側へ切換接続するインタフェース装置３０を備える。【選択図】  図１
2005159746.tif 000002
【特許請求の範囲】
【請求項１】
通話相手のメールアドレスを用いて、通話相手側の通信端末へインタネット接続するステップと、
インタネット接続された場合に、通話元にて通話相手と通話可能か否かの情報を通話相手側から取得するステップと、
通話元において、通話先から通話可能であるとの情報を取得した場合に、通話相手側へ電話機操作するステップとを具備することを特徴とする通話方法。
【請求項２】
通話元にて電話機操作し、通話先から通話相手のメールアドレスを取得するステップと、
この取得した通話相手のメールアドレスを用いて、通話相手側の通信端末へインタネット接続するステップと、
インタネット接続された場合に、通話元にて通話相手と通話可能か否かの情報を通話相手側から取得するステップと、
通話元において、通話先から通話可能であるとの情報を取得した場合に、通話相手側へ電話機操作するステップとを具備することを特徴とする通話方法。
【請求項３】
通話元にて電話機操作し、通話先から通話相手のメールアドレスを取得するステップと、
この取得した通話相手のメールアドレスを呼び出し可能に通話元の通信端末へ記憶するステップと、
この取得した通話相手のメールアドレスを用いて、通話相手側の通信端末へインタネット接続するステップと、
インタネット接続された場合に、通話元にて通話相手と通話可能か否かの情報を通話相手側から取得するステップと、
通話元において、通話先から通話可能であるとの情報を取得した場合に、通話相手側へ電話機操作するステップとを具備することを特徴とする通話方法。
【請求項４】
通話元にて電話機操作し、通話先から通話相手のメールアドレスを取得するステップと、
この取得した通話相手のメールアドレスを通話元の通信端末の表示画面にデータ表示するステップと、
このデータ表示された通話相手のメールアドレスを用いて、通話相手側の通信端末へインタネット接続するステップと、
インタネット接続された場合に、通話元にて通話相手と通話可能か否かの情報を通話相手側から取得するステップと、
通話元において、通話先から通話可能であるとの情報を取得した場合に、通話相手側へ電話機操作するステップとを具備することを特徴とする通話方法。
【請求項５】
通話相手のメールアドレスを用いて、通話相手側の通信端末へインタネット接続するステップと、
インタネット接続された場合に、通話元にて通話相手と通話可能か否かの情報を通話先から取得するステップと、
上記通話元が通話相手から通話可能か否かの情報を取得した時に、この情報が通話相手が不在または通話中であるとの情報であった場合に、通話元から複数の通話可能相手のメールアドレス情報をインタネット網を通して通話先へ要求するステップと、
上記通話元からの要求に応じて送信先から送信されるメールアドレス情報に基き、通話元にて所望の通話相手を選定して通話相手側へ電話機操作するステップとを具備することを特徴とする通話方法。
【請求項６】
通話相手のメールアドレスを用いて、通話相手側の通信端末へインタネット接続するステップと、
インタネット接続された場合に、通話元にて通話相手と通話可能か否かの情報を通話相手側から取得するステップと、
通話元において、通話先から通話可能または通信不能の何れかの情報を取得した場合に、この情報を通話元側の通信端末の表示画面およびスピーカの少なくとも何れか一方へ表示するステップと、
上記表示された情報に基いて、通話相手が通話可能である場合には、通話元から通話相手へ電話機操作するステップとを具備することを特徴とする通話方法。
【請求項７】
上記通話元にて通話相手と通話可能か否かの情報を、通話先から取得するステップは、
上記通話相手が在席および通話中でない場合に、通話可能信号を通話元にて取得するステップであることを特徴とする請求項１乃至６のいずれかに記載の通話方法。
【請求項８】
上記通話元にて通話相手と通話可能か否かの情報を、通話先から取得するステップは、
上記通話相手が不在または通話中である場合に、通話可能信号を通話元にて取得するステップであることを特徴とする請求項１乃至６のいずれかに記載の通話方法。
【請求項９】
通話元の通信装置と、通話先の通信装置と、これらの両通信装置との間を通信接続する公衆回線網およびインタネット網とを具備し、
上記通話先の通信装置は、電話機と、通話相手の在席を認知する在席センサと、通話中でないことを認知する通信端末とを備え、
上記通話元の通信装置は、電話機と、インタネット網を接続して通話先の通話相手の通信端末から通話相手の在席および通話中でないか否かの情報を受信することにより通話相手が通話可能であることを認知する通信端末とを備え、
この通話元の通信端末には、上記通話相手が通話可能であると認知したことにより、インタネット網から公衆回線網へ切換接続するインタフェース装置を備えたことを特徴とする通話システム。
【請求項１０】
通話元の通信装置と、通話先の通信装置と、これらの両通信装置との間を通信接続する公衆回線網およびインタネット網とを具備し、
上記通話先の通信装置は、電話機と、複数の通話可能相手の在席状況を認知する在席センサと、この在席センサによる複数の通話可能相手の在席状況を示す在席認知信号により、通話元へ送信し得る通信端末とを備え、
上記通話元の通信装置は、電話機と、上記複数の通話可能相手の在席状況を示す在席認知信号をインタネット網を通して受信することができる通信端末とを備え、
この通話元の通信端末には、上記複数の通話可能相手の在席状況を示す在席認知信号に基づき、通話相手への接続をインタネット網から公衆回線網へ切換接続するインタフェース装置を備えたことを特徴とする通話システム。
【請求項１１】
上記通話元の通信装置の通信端末には、上記通話相手または複数の通話可能相手の在席および通話中でないと認識し得る情報を音声および画面によるデータ表示の少なくとも一方により表示し得る表示画面およびスピーカの少なくとも一方を備えたことを特徴とする請求項９または１０記載の通話システム。
【請求項１２】
上記通話元の通信装置の通信端末には、上記通話相手または複数の通話可能相手の不席および通話中であると認識し得る情報を音声および画面によるデータ表示の少なくとも一方により表示し得る表示画面およびスピーカの少なくとも一方を備えたことを特徴とする請求項９または１０記載の通話システム。
【発明の詳細な説明】
【技術分野】
【０００１】
本発明は、公衆回線網を利用して通話を行なう通話方法および通話システムに係り、特に電話機を用いて通話先と通話を行なう際に、インタネット回線網を利用して通話の便宜を図るようにする通話方法および通話システムの改良に関する。
【背景技術】
【０００２】
従来、この種通話システムとして、通話先の通話相手が不在もしくは通話中等通話ができない状態である場合に、この通話相手の状況を通話元の通信端末側で前以て把握させることにより、電話機による通話の際に通話先へ電話が掛からないことがないように便宜を図るようにしたものがある。
【０００３】
このような通話システムとして、特開２０００−１３４３３６号公報（特許文献１）に示されるものがある。
【０００４】
この特許文献１によれば、添付図面の図５に示すように、通話システム１として、公衆回線網２へ電話回線３を介して接続される通話元通信装置４ａおよび通話先通信装置４ｂと、この両通信装置４ａ，４ｂ間に電話専用回線５を介して接続される電話サーバ６とから構成されている。通信装置４ａは、通信元電話機７ａと、通話者が在席しているか否かを検知する在席センサ８ａ、この通信元電話機７ａ，在席センサ８ａおよび電話サーバ６側の電話専用回線５のそれぞれを接続する通話元通信端末９ａを備えている。
【０００５】
また、通話元通信端末９ａは、この通信端末９ａ側の電話機７ａが使用中かどうかの電話回線３の接続状況を監視し、その電話回線接続状況を電話回線状況データとして演算処理する演算回路９ａを備えている。電話サーバ６は、通信装置４ｂ側から電話回線５を通して受信した電話回線使用状況データおよび通話先在席情報データをデータベース（図示せず）に保存し、各情報データが管理できるようになっている。
【０００６】
一方、通話先通信装置４ｂ，通話元通信装置４ａと同様構成をなすもので、通信先電話機７ｂと、通話相手が在席しているか否かを検知する在席センサ８ｂと、この通信先電話機７ｂ，在席センサ８ｂおよび電話サーバ６側の電話回線５のそれぞれを接続する通信端末９ｂを備えている。
【０００７】
また、通話元通信端末９ａには、表示画面（図示せず）が備えられ、各情報データが通話者側にて認知できるようになっている。
【特許文献１】特開２０００−１３４３３６号公報（第４頁左欄第６行目〜同頁右欄２行および第５頁右欄第１７〜２３行目並びに図１）
【発明の開示】
【発明が解決しようとする課題】
【０００８】
特許文献１に示される構成によれば、通話先にて電話回線３が使用中である場合、音声またはデータ情報が通話先の通信端末９ｂから通話元の通信端末９ａ側へ送信されるようになっている。
【０００９】
そして、通話者が必要により通話相手の状況を電話サーバ６側から取得して、通信端末９ａの表示画面に表示されるデータを基に通話相手側の通話可能な状態であることを先ず確認することができるようなる。
【００１０】
従って、通話者が電話をかける場合には、電話サーバ６側から通話相手の電話番号や名前等の情報を検索すると共に、検索した通話相手へ電話することができる。
【００１１】
しかしながら、従来の通話システム１によれば、電話サーバ６およびこの電話サーバ６を通信装置４ａおよび４ｂ側へ通信接続するために専用の電話回線を設けなければならず、相当の設備費かかる上に、電話サーバ６の電話回線の一部を公衆回線２へ接続する方法をとる場合には、回線使用料が必要となる等の欠点があった。
【００１２】
本発明は、上記の事情に鑑みてなされたもので、専用の電話サーバや電話回線を設けることなく、既存のインタネット網を利用するようにして相当の設備費を要しない通話方法および通話システムを提供することを目的とする。
【課題を解決するための手段】
【００１３】
上記目的を達成するために、本発明によれば、通話相手のメールアドレスを用いて、通話相手側の通信端末へインタネット接続するステップと、インタネット接続された場合に、通話元にて通話相手と通話可能か否かの情報を通話相手側から取得するステップと、通話元において、通話先から通話可能であるとの情報を取得した場合に、通話相手側へ電話機操作するステップとを具備することを特徴とする通話方法を提供する。
【００１４】
上記目的を達成するために、本発明によれば、通話元にて電話機操作し、通話先から通話相手のメールアドレスを取得するステップと、この取得した通話相手のメールアドレスを用いて、通話相手側の通信端末へインタネット接続するステップと、インタネット接続された場合に、通話元にて通話相手と通話可能か否かの情報を通話相手側から取得するステップと、通話元において、通話先から通話可能であるとの情報を取得した場合に、通話相手側へ電話機操作するステップとを具備することを特徴とする通話方法を提供する。
【００１５】
上記目的を達成するために、本発明によれば、通話元にて電話機操作し、通話先から通話相手のメールアドレスを取得するステップと、この取得した通話相手のメールアドレスを呼び出し可能に通話元の通信端末へ記憶するステップと、この取得した通話相手のメールアドレスを用いて、通話相手側の通信端末へインタネット接続するステップと、インタネット接続された場合に、通話元にて通話相手と通話可能か否かの情報を通話相手側から取得するステップと、通話元において、通話先から通話可能であるとの情報を取得した場合に、通話相手側へ電話機操作するステップとを具備することを特徴とする通話方法を提供する。
【００１６】
上記目的を達成するために、本発明によれば、通話元にて電話機操作し、通話先から通話相手のメールアドレスを取得するステップと、この取得した通話相手のメールアドレスを通話元の通信端末の表示画面にデータ表示するステップと、このデータ表示された通話相手のメールアドレスを用いて、通話相手側の通信端末へインタネット接続するステップと、インタネット接続された場合に、通話元にて通話相手と通話可能か否かの情報を通話相手側から取得するステップと、通話元において、通話先から通話可能であるとの情報を取得した場合に、通話相手側へ電話機操作するステップとを具備することを特徴とする通話方法を提供する。
【００１７】
上記目的を達成するために、本発明によれば、通話相手のメールアドレスを用いて、通話相手側の通信端末へインタネット接続するステップと、インタネット接続された場合に、通話元にて通話相手と通話可能か否かの情報を通話先から取得するステップと、上記通話元が通話相手から通話可能か否かの情報を取得した時に、この情報が通話相手が不在または通話中であるとの情報であった場合に、通話元から複数の通話可能相手のメールアドレス情報をインタネット網を通して通話先へ要求するステップと、上記通話元からの要求に応じて送信先から送信されるメールアドレス情報に基き、通話元にて所望の通話相手を選定して通話相手側へ電話機操作するステップとを具備することを特徴とする通話方法を提供する。
【００１８】
上記目的を達成するために、本発明によれば、通話相手のメールアドレスを用いて、通話相手側の通信端末へインタネット接続するステップと、インタネット接続された場合に、通話元にて通話相手と通話可能か否かの情報を通話相手側から取得するステップと、通話元において、通話先から通話可能または通信不能の何れかの情報を取得した場合に、この情報を通話元側の通信端末の表示画面およびスピーカの少なくとも何れか一方へ表示するステップと、上記表示された情報に基いて、通話相手が通話可能である場合には、通話元から通話相手へ電話機操作するステップとを具備することを特徴とする通話方法を提供する。
【００１９】
上記目的を達成するために、本発明によれば、通話元の通信装置と、通話先の通信装置と、これらの両通信装置との間を通信接続する公衆回線網およびインタネット網とを具備し、上記通話先の通信装置は、電話機と、通話相手の在席を認知する在席センサと、通話中でないことを認知する通信端末とを備え、上記通話元の通信装置は、電話機と、インタネット網を接続して通話先の通話相手の通信端末から通話相手の在席および通話中でないか否かの情報を受信することにより通話相手が通話可能であることを認知する通信端末とを備え、この通話元の通信端末には、上記通話相手が通話可能であると認知したことにより、インタネット網から公衆回線網へ切換接続するインタフェース装置を備えたことを特徴とする通話システムを提供する。
【００２０】
上記目的を達成するために、本発明によれば、通話元の通信装置と、通話先の通信装置と、これらの両通信装置との間を通信接続する公衆回線網およびインタネット網とを具備し、上記通話先の通信装置は、電話機と、複数の通話可能相手の在席状況を認知する在席センサと、この在席センサによる複数の通話可能相手の在席状況を示す在席認知信号により、通話元へ送信し得る通信端末とを備え、上記通話元の通信装置は、電話機と、上記複数の通話可能相手の在席状況を示す在席認知信号をインタネット網を通して受信することができる通信端末とを備え、この通話元の通信端末には、上記複数の通話可能相手の在席状況を示す在席認知信号に基づき、通話相手への接続をインタネット網から公衆回線網へ切換接続するインタフェース装置を備えたことを特徴とする通話システムを提供する。
【発明の効果】
【００２１】
本発明によれば、電話サーバのような通話専用のサーバ回線を設けることなく、既存のインタネット網を利用するようにして設備費を低減させる一方、電話回線使用料の負担をも軽減し得る通話方法および通話システムを提供できる。
【発明を実施するための最良の形態】
【００２２】
本発明に係る通信システムの実施形態について、添付図面を参照して説明する。
【００２３】
図１は、本発明の通話システム１０の概要図である。
【００２４】
この通話システム１０は、通話元の通信装置１１と、通話先の通信装置１２と、これらの両通信装置１１，１２間にそれぞれ通信接続する公衆回線網１３およびインタネット網１４とから構成される。
【００２５】
通話元の通信装置１１は、通話者が電話機２０ａを用いて通話先へ電話するのに便利な場所、例えばオフィスに設置されるものである。
【００２６】
この通信装置１１は、通話元に備えられ、公衆回線網１３を利用して通話先と通話を行なう電話機２０ａと、この電話機２０ａを用いて通話先の通話相手と通話するに先だって、通話先の通話相手の通話可能状況を調べたり、メールアドレスを取得するために備えられる通信端末２２ａと、この通信端末２２ａ側へ通信回線２７を介して接続される在席センサ２８とより構成される。
【００２７】
通話先の通信装置１２は、通話先の通話相手が電話機２０ｂを用いて通話するに適する、例えばオフィスに設置されるものである。
【００２８】
この通信装置１２は、通話元の通信装置１１と同様構成のものであって、この通信装置１２側を通話元として通話先へ電話をかけ通話することができるようになっている。
【００２９】
従って、通信装置１２側を通話元とする場合には、通話元の通信装置１１は、通信装置１２側からみて通話先とすることができる。
【００３０】
一方、通話元の通信端末２２ａは、通信端末本体２３，キーボード２４，表示画面２５およびスピーカ２６とを備えている。
【００３１】
通信端末本体２３は、図２（ａ）に示すように、公衆回線網１３側とインタネット網１４側とを選択的に切換接続するハイブリット回路構成のインタフェース装置３０と、このインタフェース装置３０側から通信回線３１を介して接続される通話信号送受信回路３２と、この通話信号送受信回路３２側から通信回線３３を介して接続される通話信号編集回路３４と、この通話信号編集回路３４側から通信回線３５を介して接続される信号中継回路３６と、更にこの信号中継回路３６側から通信回線３７を介して接続されるキーボード操作回路３８とからなる通信ルートと、この通信ルートの通話信号編集回路３４に通信回線３９を介して接続される在席センサ受信回路４０と、通話信号編集回路３４に通信回線４１を介して接続されるインタネット送受信回路４２とから構成される。
【００３２】
また、信号中継回路３６には、通信回線４３を介して表示画面２５およびスピーカ２６へ接続している。
【００３３】
一方、キーボード２４は、図１に示すように、通信端末本体２３側へキーボード操作により信号入力するためのもので、例えば通話相手側の通信端末２２ｂへメールアドレス入力したり、通話先の複数の通話可能相手のメールアドレス情報を要求するための入力操作するために用いられる。
【００３４】
また、表示画面２５は、通話先から受信する通話相手のメールアドレス情報を文字および記号を用いてデータ表示するようになっている。
【００３５】
更に、スピーカ２６は、通話先から受信する通話相手が通話可能か通話不能かの何れかの情報を取得した場合に、この情報を通話者へ音声表示することができるようになっている。
【００３６】
また、在席センサ２８は、通信回線２７を介して在席センサ受信回路４０側へ接続される。この在席センサ２８は、通話元の通信装置１１が、通話先から見て通信先となる場合を考慮して設けられたものである。
【００３７】
在席センサ２８は、例えば通話先から通話元の通話相手へ電話機操作が可能に設けられる場合、その通話相手が在席しているか否かを検知する機能を有するものである。
【００３８】
上記通話相手が例えば在席していた場合には、この状態を在席センサ２８が検知し、在席受信回路４０にて在席認知信号ｈを生成すると共に通話信号編集回路３４がこの在席認知信号ｈをインタネット送受信回路４２側へ送信し、インタネット送受信回路４２は、同時にインタネット網１４を通して通信先の通信装置１２側へ送信するようになっている。
【００３９】
また、上記通話相手が不在の場合には、この状態を在席センサ２８が検知することにより、在席受信回路４０にて通話不能信号ｂを生成すると共に通話信号編集回路３４がこの通話不能信号ｂを受信し、インタネット送受信回路４２は、同時にインタネット網１４を通して通信先の通信装置１２側へ送信するようになっている。
【００４０】
通信装置１１側に備えるインタフェース装置３０は、ハイブリッド回路３０ａおよび電話番号・メールアドレス情報記憶装置３０ｂを備えている。
【００４１】
このインタフェース装置３０は、電話機２０ａのダイヤル操作（以下、電話機操作という。）により、電話回線２１を通して通話信号ａ１を受信し、この通話信号ａ１を公衆回線網１３側へ送信するようになっている。
【００４２】
インタフェース装置３０のハイブリッド回路３０ａは、電話回線２１と公衆回線網１３とを接続する通信ルートを形成させて、公衆回線網１３側を通して通話先から受信する通話相手メールアドレス情報信号ａ２を受信するようになっている。
【００４３】
この通話相手メールアドレス情報信号ａ２をインタフェース装置３０が受信することにより、ハイブリッド回路３０ａにてそれまでの通信ルートが公衆回線網１３側から通信回線３１側へ切換接続がなされるようになっている。
【００４４】
インタフェース装置３０は、ハイブリッド回路３０ａにより公衆回線網１３から通話信号送受信回路３２，通話信号編集回路３４を経て信号中継回路３６側の通信ルートへ切換接続することによって、通話相手メールアドレス情報信号ａ２を信号中継回路３６側へ送信されるようになっている。
【００４５】
この通話相手メールアドレス情報信号ａ２に含まれるメールアドレス情報が通信端末２２ａの表示画面２５へデータ表示するようになっている。
【００４６】
また同時に、この受信した通話相手メールアドレス情報信号ａ２は、インタフェース装置３０の電話番号・メールアドレス情報記憶装置３０ｂに呼び出し可能に記憶（登録）させるようになっている。
【００４７】
電話番号・メールアドレス情報記憶装置３０ｂには、通話元の通信端末２２ａのキーボード（図示せず）を操作して電話番号に対応して通話相手である氏名等の固有情報を入力し、記憶させることができる。
【００４８】
また、電話番号等の情報が既に通話元の電話番号・メールアドレス情報記憶装置３０ｂに記憶（登録）されている場合には無視されるようになっている。
【００４９】
ハイブリッド回路３０ａは、通話元にて電話機操作した電話番号が電話番号・メールアドレス情報記憶装置３０ｂへ送信する一方、表示画面２５側にてデータ表示されるように通話信号送受信回路３２，通話信号編集回路３４側へ送信するようになっている。
【００５０】
通話元は、通信端末２２ａのインタフェース装置３０にて受信した通話相手メールアドレス情報を、この通信端末２２ａのキーボード２４からメールアドレス入力を行なうことにより、通話先の通信端末２２ｂ側へインタネット接続するようになっている。
【００５１】
接続された場合には、通話相手が在席および通話中でないか、または、通話相手が不在および通話中の少なくとも一方の情報に基き、通話可能信号ｆまたは通話不能信号ｂの何れかが生成されるようになっている。
【００５２】
他方、通話先の通信装置１２は、その通信端末２２ｂ側から通信元の通信装置１１の通信端末２２ａ側へ通話可能信号ｆまたは通話不能信号ｂを送信するようになっている。
【００５３】
通話元は、通話先から、例えば通話可能信号ｆを受信した場合は、通話元の通信端末２２ａは、その通話信号編集回路３４にて公衆回線網接続信号ｇが生成され、この生成された信号ｇがインタフェース装置３０のハイブリット回路３０ａに送信されるようになっている。
【００５４】
ハイブリット回路３０ａは、この公衆回線網接続信号ｇを受信することにより、通話元の電話機２０ａと通話先の通話相手の電話機２０ｂとが自動接続されるようにしている。
【００５５】
また、通話相手側が例えば通話不可能な状況になっておれば、図２（ａ），（ｂ）に示すように、通話相手の通信端末２２ｂから自動的に通話不能信号ｂが通話元の通信端末２２ａへ送信されるようになっている。
【００５６】
このように通話元が通話不能信号ｂを受信した場合には、通話元の必要により、他の通話可能相手（複数）がいるか否か、また、複数の通話可能相手がいる場合には、その複数の通話可能相手のメールアドレス等固有情報を通話先へ要求することができるようになっている。
【００５７】
複数の通話可能相手のメールアドレス等固有情報を要求するにあたっては、通話元の通信端末２２ａの操作（キーボード２４操作による）により、通話信号編集回路３４にて通話可能相手メールアドレス情報要求信号ｅを生成して、通話先の通信装置１２側へ送信させるようにしている。
【００５８】
なお、通話信号編集回路３４にて生成される通話可能相手メールアドレス情報要求信号ｅは、例えば通話先から通話不能信号ｂの受信時に自動的に生成させるようにしてもよい。
【００５９】
通話先の通信装置１２は、通話可能相手メールアドレス情報要求信号ｅを受信することにより、通話可能相手メールアドレス情報信号ｄが生成され、インタネット網１４を通して通話元の通信端末２２ａ側にて受信するようになっている。
【００６０】
通話元の通信装置１１の通信端末２２ａにて受信した通話可能相手メールアドレス情報信号ｄは、信号中継回路３６を通して表示画面２５およびスピーカ２６側へ送信されて、音声および画面によるデータ表示の少なくとも一方により表示されるようになっている。
【００６１】
通話元の通信端末２２ａ側にて受信する通話可能相手メールアドレス情報信号ｄは、表示画面２５へ、例えば図３（ｂ）に示すようにデータ表示される。
【００６２】
すなわち、この表示画面２５には、図３（ｂ）に示すように、表示画面２５へ複数の通話可能相手のメールアドレス等の通話相手側固有情報が表示されるようになっている。
【００６３】
なお、通話相手側固有情報とは、例えば通話先の複数の通話相手の氏名，電話番号，メールアドレス等の固有情報である。
【００６４】
そして、この複数の固有情報の中から所望の通話相手のメールアドレスを選定し、通話元の通信端末２２ａのキーボード２４側から、通話相手のメールアドレスを入力することにより通話先の通信装置１２の通話相手の通信端末２２ｂ側へインタネット接続がなされるようになっている。
【００６５】
すなわち、通話元の通信端末２２ａのキーボード２４のメールアドレス入力により、キーボード操作回路３８にて通話相手メールアドレス入力信号ｃが生成されるようになっている。この通話相手メールアドレス入力信号ｃが、信号中継回路３６，通話信号編集回路３４，インタネット送受信回路４２を通してインタネット網１４側へ接続することができるものである。
【００６６】
通話信号編集回路３４は、通話先から通話不能信号ｂを受信することにより、通話可能相手メールアドレス情報要求信号ｅを生成し、この要求信号ｅをインタネット送受信回路４２，インタネット網１４を通して通話先へ送信するものである。
【００６７】
また、この通話信号編集回路３４は、通話元から送信した通話可能相手メールアドレス情報信号ｄに含まれる複数のメールアドレスの中から、何れかを選定して通話先とのインタネット接続をすることができるものである。
【００６８】
ここで、インタネット接続がなされた場合には、通話信号編集回路３４は、図２（ｂ）に示すように、公衆回線網接続信号ｇが生成され、この接続信号ｇがハイブリッド回路３０ａ側へ送信されるようになっている。
【００６９】
なお、通話信号編集回路３４は、通話先とインタネット接続がなされなかつた場合には、受信する通話不能信号ｂにより、表示画面２５に表示される他の通信可能相手のメールアドレスから任意の通話相手を選定して、通話可能か否かの情報を取得ことができる。
【００７０】
なお、インタフェース装置３０のハイブリッド回路３０ａは、通話信号編集回路３４側から公衆回線網接続信号ｇを受信して、電話機２０ａを電話回線２１を介して公衆回線網１３側へ接続するように切換接続するものである。
【００７１】
一方、通話先の通信装置１２は、図２（ｂ）に示すように、図２（ａ）に示す通信装置１１と同様構成のものである。この通信装置１２は、通話元の通信装置１１側から送信される通話信号ａ１を受信することにより、通話可能に設けられる。
【００７２】
通信装置１２の通信端末２２ｂは、通信装置１１の通信端末２２ａ側から送信される通話信号ａ１を受信した場合に、通話相手が不在であったり、通話中であった場合、通信装置１２の通信端末２２ｂ側から通信装置１１の通信端末２２ａ側へ通話相手メールアドレス情報信号ａ２が自動送信されるようになっている。
【００７３】
従って、送信元は、その通信端末２２ａにて通話相手メールアドレス情報信号ａ２を受信することによって、この受信した通話相手のメールアドレスを知ることができる。
【００７４】
そして、通話元にてキーボード２４を操作して、通話相手のメールアドレス入力することにより、通信端末２２ａはインタネット網１４を介して通話先の通話相手側の通信装置２２ｂへインタネット接続ができるようになっている。
【００７５】
通信装置１２のその他の構成については、図１に示す通信装置１１および図２（ａ）に示す通信装置１１と同様構成であるので、通信装置１２を示す図１および図２（ｂ）へ、図１および図２（ａ）に附した通信装置１１の符号と同一部分に同一符号を附して説明を省略する。
【００７６】
次に、通話システム１０の作用を、図１〜図４を参照して説明する。
【００７７】
図４は、通話元の電話機操作により通話を開始するまでのフローを示している。
【００７８】
このフローに従って説明する。
【００７９】
図２（ａ）に示す電話機２０ａを操作して通信端末２２ａのインタフェース装置３０側へ通話信号ａ１を送信する＜ステップ１＞。
【００８０】
この電話機操作した電話番号は、自動的にインタフェース装置３０側の電話番号・メールアドレス情報記憶装置３０ｂに記憶される。
【００８１】
この記憶装置３０ｂによる記憶により、次回に通話をする際には、例えば電話番号あて先検索により直ちに呼び出し使用することができる。
【００８２】
また、既に通信装置１１側に上記電話番号を記憶済の場合を含めて更新処理される＜ステップ２＞。
【００８３】
通話元にて、通話相手の通信端末２２ｂのメールアドレスが既に通信装置１１側にて記憶されているか否かをチェックする。
【００８４】
記憶されている場合には、そのメールアドレスを用いて通話相手へメール送信する＜ステップ３ａ＞。
【００８５】
また、記憶されていなかった場合、すなわち、通話相手のメールアドレスがわからない場合、通話相手側へ電話機操作し、通話相手のメールアドレスを通話相手メールアドレス情報信号ａ２により取得する。
【００８６】
この通話相手メールアドレス情報信号ａ２に含まれるメールアドレスは、通話元の通信端末２２ａの表示画面２５に図３（ａ）に示すように表示されるので、この表示を目視して確認することができる＜ステップ３ｂ＞。
【００８７】
従って、＜ステップ３ａ＞および＜ステップ３ｂ＞によって、通話相手側のメールアドレスを確認することができる。
【００８８】
次に、＜ステップ３ａ＞にて確認した通話相手のメールアドレスに基いて、インタネット接続操作を行う。
【００８９】
すなわち、通信端末２２ａのキーボード２４にてメールアドレスの入力操作を行なう。
【００９０】
この入力操作により、キーボード操作回路３８から通話相手メールアドレス情報入力信号ｃが生成され、この通話相手メールアドレス情報入力信号ｃが通話信号編集回路３４を経由してインタネット網１４側へ送信されてメール送信が行なわれる＜ステップ４ａ＞。
【００９１】
また、上記メール送信により、通話元の通信端末２２ａが通信先の通信端末２２ｂの通話相手側と接続できなかった場合には、通話先から通話元へ通話不能信号ｂが送信され、通話元の通信端末２２ａのスピーカ２６にて音声表示される。
【００９２】
通話元の通話者は、この通話不能を認知し、通話者をして改めて通話先へ通話可能相手メールアドレス情報要求信号ｅを送信する。
【００９３】
そして、通話先から複数の通話可能相手のメールアドレスを通話可能相手メールアドレス情報信号ｄにより取得する。
【００９４】
通話者は、この通話可能相手メールアドレス情報信号ｄを取得したことにより、この信号ｄに含まれる複数の通話可能相手のメールアドレスは、図３（ｂ）に示すように、通話元の通信端末２２ａの表示画面２５へデータ表示されるので、この表示されるデータを目視して確認する。
【００９５】
そして、通話者をしてデータ表示された複数の通話可能相手のメールアドレスから所望の通話相手を選定してメール送信する＜ステップ４ｂ＞。
【００９６】
この＜ステップ４ａ＞または＜ステップ４ｂ＞により通話（可能）相手へインタネット接続されたか否かを確認する。
【００９７】
この確認の際に、通話可能か否かの情報を音声にて同時に確認する＜ステップ５＞。
【００９８】
同時に一方で、通信端末２２ａの通話信号送受信回路３４から公衆回線網接続信号ｇがインタフェース装置３０のハイブリッド回路３０ａに送信され、通話元の電話機２０ａから通話先の通話相手の電話機２０ｂへ自動的に接続されて通話開始可能となる＜ステップ６＞。
【００９９】
通話システム１０によれば、上記＜ステップ１＞〜＜ステップ６＞を経ることにより、通話元から通話先へ電話機２０ａを用いて通話する場合に、先ず通話先の通話相手が通話可能状態になっているか否かを確認した上で、通話するようにしたから、通話先の通話相手が在席していなかったり、または電話中であったりした時に電話することによる通話元での時間ロスを解消する一方で、無駄な通話料を削減できる効果を奏する。
【０１００】
また、電話機操作の際に、電話番号を記憶（呼び出し可能）したり、通話先のメールアドレス情報を要求して取得したり、通話元において、通話相手や通話可能相手が確認できるようにする一方、通話元で記憶（登録）して通話先との通話に際して、必要により呼び出して使用したり、更にはこれらの情報を音声および画面によるデータ表示の少なくとも一方により表示することができるシステムを採用したから、次回の電話機２０ａによる通話やインタネット接続時に、通話元の通話者の視・聴覚が活用できるので、通話者にとって快適で使い勝手がよい。
【０１０１】
また、本発明の通話システム１０によれば、公衆回線網１３やインタネット網１４を活用しているので、特段の通話システム用設備を要しない上に、無駄な電話接続を防ぐことができるので、設備費および通話料を大幅に節約可能な通話方法および通話システムを提供することができる。
【０１０２】
また、通話元が通話先から取得する通話可能情報（通話可能信号ｆ）や通話不能情報（通話不能信号ｂ）は、必ずしも両方の情報は必要ではなく何れか一方であってもよい。
【０１０３】
更に、通話システム１０によれば、通話元の通信装置として通信装置１１を用い、通話先には通信装置１２を用いるようにしたが、逆に通話元の通信装置として通信装置１２を用い、通話先には通信装置１１を用いるようにすることもできる。
【０１０４】
すなわち、公衆回線網１３およびインタネット網１４を介して相互に通話やインタネット通信を行なうことができる構成とすることができる。
【図面の簡単な説明】
【０１０５】
【図１】本発明の通話システムの概要図。
【図２】図１の通信装置の具体構成を示す図で、（ａ）は、通話元の通信装置構成を、（ｂ）は通話先の通信装置の構成図。
【図３】図１の通信端末の表示画面にデータ表示される通信先情報の表示例を示す図。
【図４】本発明の通信システムの電話機操作から通話を開始するまでのフロー図。
【図５】従来の通話システムの概要図。
【符号の説明】
【０１０６】
１０  通話システム
１１，１２  通信装置
１３  公衆回線網
１４  インタネット網
２０ａ，２０ｂ  電話機
２１  電話回線
２２ａ，２２ｂ  通信端末
２３  通信端末本体
２４  キーボード
２５  表示画面
２６  スピーカ
２７，３１，３３，３５，３７，３９，４１，４３  通信回線
２８  在席センサ
３０  インタフェース装置
３０ａ  ハイブリッド回路
３０ｂ  電話番号・メールアドレス情報記憶装置
３２  通話信号送受信回路
３４  通話信号編集回路
３６  信号中継回路
３８  キーボード操作回路
４０  在席センサ受信回路
４２  インタネット送受信回路
ａ１  通話信号
ａ２  通話相手メールアドレス情報信号
ｂ  通話不能信号
ｃ  通話相手メールアドレス入力信号
ｄ  通話可能相手メールアドレス情報信号
ｅ  通話可能相手メールアドレス情報要求信号
ｆ  通話可能信号
ｇ  公衆回線網接続信号
ｈ  在席認知信号
【図１】
2005159746.tif 000003
【図２】
2005159746.tif 000004
【図３】
2005159746.tif 000005
【図４】
2005159746.tif 000006
【図５】
2005159746.tif 000007